(57)【要約】【課題】複数の照明器具の施工状態に関わらず、複数の照明器具の設置後に各照明器具の設置場所を特定する。【解決手段】照明器具１は、個別に与えられた器具識別情報を重畳した可視光を照射する。端末装置３を持った作業者Ｐが照明器具１を点灯させて、照明器具１からの可視光を端末装置３にかざす。端末装置３は、照明器具１からの可視光を受光し、受光した可視光に含まれる器具識別情報を抽出する。このとき、端末装置３は、ＧＰＳを用いて、可視光を受光したときの自己の位置情報を特定する。その後、端末装置３は、自己の位置情報を端末位置情報（照明器具１の設置場所情報）とし、この端末位置情報を器具識別情報に対応付けてセンターサーバ２に無線信号として送信する。センターサーバ２は、器具識別情報及び端末位置情報を端末装置３から受信し、受信した器具識別情報に端末位置情報を対応付けて記憶する。【選択図】図１
2009238537.tif 000002
【特許請求の範囲】
【請求項１】
それぞれが個別の器具識別情報を有する複数の照明器具と、前記複数の照明器具を管理する管理装置とを備える管理システムであって、
前記管理装置に情報を送信可能とする端末装置と、自己の位置情報を前記管理装置に送信可能とする位置情報通知手段とを備え、
前記複数の照明器具のそれぞれは、可視光を照射する光源と、前記光源から照射される可視光に前記器具識別情報を重畳させる点灯制御手段とを有し、
前記端末装置は、前記可視光を受光する受光手段と、前記受光手段で受光された可視光に含まれる器具識別情報を抽出する抽出手段と、前記抽出手段で抽出された器具識別情報を前記管理装置に送信する送信手段とを有し、
前記位置情報通知手段は、自己の位置情報を、前記端末装置が前記可視光を受信したときの当該端末装置の位置を表わす端末位置情報として前記管理装置に送信し、
前記管理装置は、前記端末装置で抽出された器具識別情報を当該端末装置から受信する第１の受信手段と、前記端末位置情報を前記位置情報通知手段から取得する第２の受信手段と、前記第１の受信手段で受信された器具識別情報に前記第２の受信手段で受信された端末位置情報を対応付けて記憶する記憶手段とを有する
ことを特徴とする管理システム。
【請求項２】
前記端末装置は端末識別情報を有し、
前記位置情報通知手段は、出入口ごとに人の出入りを管理する出入管理システムを構成し、前記出入口ごとに設けられ、前記端末識別情報に対応する情報を認証したときに自己の位置情報を前記端末位置情報として前記管理装置に送信する認証装置である
ことを特徴とする請求項１記載の管理システム。
【請求項３】
前記管理装置は、前記第２の受信手段で前記端末位置情報が受信されてから次に端末位置情報が受信されるまでの間に前記第１の受信手段で受信された器具識別情報を有する複数の照明器具を連動点灯制御させる照明制御手段を備える
ことを特徴とする請求項２記載の管理システム。
【請求項４】
前記位置情報通知手段は、前記端末装置に設けられ、衛星測位システムを用いて現在の自己の位置情報を特定することを特徴とする請求項１記載の管理システム。
【発明の詳細な説明】
【技術分野】
【０００１】
本発明は、複数の照明器具を管理する管理システムに関するものである。
【背景技術】
【０００２】
従来、照明制御システムは、個別の器具識別情報を有する複数の照明器具と、これらの照明器具の設置場所を管理して点灯制御する管理装置とを備える（例えば特許文献１）。従来の管理システムにおいて、複数の照明器具を設置する場合、照明器具ごとに個別に与えられた器具識別情報と設置場所とを対応付けて記入された施工図に基づいて、複数の照明器具の設置工事を施工する。一方、管理装置には、施工図に記入された器具識別情報と設置場所とを対応付けた対応テーブルが記憶される。これにより、複数の照明器具が設置された後に、ある場所を明るくしたい場合、従来の照明制御システムは、施工図に記入された情報に基づく上記対応テーブルを用いることによって、どの照明器具を点灯させればよいのかが容易にわかる。
【特許文献１】特開２００４−１８０４１２号公報
【発明の開示】
【発明が解決しようとする課題】
【０００３】
従来の照明制御システムにおいて、複数の照明器具の設置工事は、例えば５階程度のビル１棟など比較的小規模な建物の場合、比較的少ない労力で行うことができた。
【０００４】
しかしながら、数十棟の建物や、建物間の土地に存在する公園や道路など、照明器具の設置対象範囲が単なる建物単位ではなく、さらに大規模な範囲にまで広がる場合、照明器具の施工時に配線を間違えて、施工図とは異なる施工状態となってしまうおそれがあった。通常、照明器具の配線の間違いは、照明器具の設置後に実際に点灯制御することによって発覚するため、配線が間違っていた照明器具を再度施工し直すという労力を要していた。このため、照明器具の設置工事を再施工することなく、照明器具の設置場所を正確に管理したいという要望があった。
【０００５】
本発明は上記の点に鑑みて為されたものであり、その目的は、複数の照明器具の施工状態に関わらず複数の照明器具の設置後に各照明器具の設置場所を特定することができる管理システムを提供することにある。
【課題を解決するための手段】
【０００６】
請求項１の発明は、それぞれが個別の器具識別情報を有する複数の照明器具と、前記複数の照明器具を管理する管理装置とを備える管理システムであって、前記管理装置に情報を送信可能とする端末装置と、自己の位置情報を前記管理装置に送信可能とする位置情報通知手段とを備え、前記複数の照明器具のそれぞれが、可視光を照射する光源と、前記光源から照射される可視光に前記器具識別情報を重畳させる点灯制御手段とを有し、前記端末装置が、前記可視光を受光する受光手段と、前記受光手段で受光された可視光に含まれる器具識別情報を抽出する抽出手段と、前記抽出手段で抽出された器具識別情報を前記管理装置に送信する送信手段とを有し、前記位置情報通知手段が、自己の位置情報を、前記端末装置が前記可視光を受信したときの当該端末装置の位置を表わす端末位置情報として前記管理装置に送信し、前記管理装置が、前記端末装置で抽出された器具識別情報を当該端末装置から受信する第１の受信手段と、前記端末位置情報を前記位置情報通知手段から取得する第２の受信手段と、前記第１の受信手段で受信された器具識別情報に前記第２の受信手段で受信された端末位置情報を対応付けて記憶する記憶手段とを有することを特徴とする。
【０００７】
請求項２の発明は、請求項１の発明において、前記端末装置は端末識別情報を有し、前記位置情報通知手段が、出入口ごとに人の出入りを管理する出入管理システムを構成し、前記出入口ごとに設けられ、前記端末識別情報に対応する情報を認証したときに自己の位置情報を前記端末位置情報として前記管理装置に送信する認証装置であることを特徴とする。
【０００８】
請求項３の発明は、請求項２の発明において、前記管理装置が、前記第２の受信手段で前記端末位置情報が受信されてから次に端末位置情報が受信されるまでの間に前記第１の受信手段で受信された器具識別情報を有する複数の照明器具を連動点灯制御させる照明制御手段を備えることを特徴とする。
【０００９】
請求項４の発明は、請求項１の発明において、前記位置情報通知手段が、前記端末装置に設けられ、衛星測位システムを用いて現在の自己の位置情報を特定することを特徴とする。
【発明の効果】
【００１０】
請求項１の発明によれば、照明器具ごとに、端末装置からの器具識別情報に位置情報通知手段からの端末位置情報を対応付けて管理装置に記憶することによって、複数の照明器具の施工状態に関わらず、複数の照明器具の設置後に各照明器具の設置場所を特定することができる。また、器具識別情報を重畳した可視光を照明器具が照射するので、器具識別情報を送信するための専用の発光体を照明器具とは別途設ける必要がない。
【００１１】
請求項２の発明によれば、出入管理システムの設備を利用して、照明器具の設置場所を特定することができる。
【００１２】
請求項３の発明によれば、出入口単位で区切られた範囲ごとに照明器具を連動点灯制御するように設定することができる。
【００１３】
請求項４の発明によれば、端末装置が照明器具の機器識別情報と端末位置情報とを一括して管理装置に送信することができるので、端末位置情報を通知するものとして端末装置以外のものを用意する必要がない。
【発明を実施するための最良の形態】
【００１４】
（実施形態１）
まず、実施形態１の照明制御システム（管理システム）の構成について図１〜４を用いて説明する。この照明制御システムは、図１に示すように、ビルや公園など複数のエリアＡ１〜Ａ４の照明制御を行うものであり、それぞれが個別の器具識別情報を有する複数の照明器具１，１・・・をエリアＡ１〜Ａ４ごとに備えるとともに、複数の照明器具１，１・・・を管理するセンターサーバ（管理装置）２と、センターサーバ２に情報を送信可能とする端末装置３とを備える。また、照明制御システムには、エリアＡ１〜Ａ４ごとに照明器具１，１・・を点灯制御するコントローラ４が設けられている。センターサーバ２と各コントローラ４，４とは通信網ＮＴによって接続されている。通信網ＮＴとしては、例えばＩＰｖ６規格のＬＡＮなどが用いられる。
【００１５】
各照明器具１は、図２に示すように、器具識別情報が記憶されている記憶部１０と、可視光を照射する光源１１と、光源１１から照射される可視光に器具識別情報を重畳させる点灯制御部（点灯制御手段）１２とを備えている。また、各照明器具１には、記憶部１０に記憶されている器具識別情報をコントローラ４に送信するための通信部１３が設けられている。コントローラ４に送信された器具識別情報はセンターサーバ２に送信される。
【００１６】
各照明器具１は、コントローラ４の制御によって点灯したり消灯したりする。例えば、センターサーバ２からコントローラ４に点灯制御信号が送信された場合、照明器具１は点灯し、センターサーバ２からコントローラ４に消灯制御信号が送信された場合、照明器具１は消灯する。また、照明器具１は、操作スイッチ１４でのオン操作を認識したコントローラ４の制御によって点灯し、操作スイッチ１４でのオフ操作を認識したコントローラ４の制御によって消灯する。
【００１７】
端末装置３は、図４に示すように、照明器具１から照射された可視光を受光する受光素子（受光手段）３０と、受光素子３０で受光された可視光に含まれる器具識別情報を抽出する抽出部（抽出手段）３１と、衛星測位システムの一つであるＧＰＳを用いて複数のＧＰＳ衛星からの発信電波を受信するＧＰＳ受信部３２と、ＧＰＳ受信部３２で受信された複数の発信電波を用いて現在の自己の位置情報（端末位置情報）を特定する位置情報特定部３３と、抽出部３１で抽出された器具識別情報及び位置情報特定部３３で特定された端末位置情報を無線信号としてセンターサーバ２に無線送信する無線送信部（送信手段）３４とを備えている。つまり、無線送信部３４は、受光素子３０が可視光を受信したときの端末位置情報を無線信号としてセンターサーバ２に無線送信する。また、抽出部３１は、エンコードした情報を復号するデコーダ３１０と、デコーダ３１０で復号された情報から器具識別情報を判定する器具判定部３１１とで構成される。さらに、端末装置３には記憶部３５が設けられている。
【００１８】
センターサーバ２は、図３に示すように、器具識別情報及び端末位置情報を端末装置３（図４参照）から受信する無線受信部（第１の受信手段、第２の受信手段）２０と、記憶部（記憶手段）２１と、無線受信部２０で受信された器具識別情報に端末位置情報を対応付けて記憶部２１に記憶させる制御部２２とを備えている。また、センターサーバ２には、通信網ＮＴに接続されるコントローラ４（図１参照）に信号を送信する送信部２３と、コントローラ４から信号を受信する受信部２４とが設けられている。
【００１９】
次に、本実施形態の照明制御システムを用いて各照明器具１の設置場所の特定する方法について図５を用いて説明する。まず、端末装置３（図１参照）を持った作業者Ｐ（図１参照）は、あるエリアＡ１〜Ａ４において、操作スイッチ１４（図１参照）を操作して照明器具１（図１参照）を点灯させる。その後、点灯させた照明器具１の下側に立ち、照明器具１からの可視光を端末装置３にかざして、照明器具１からの可視光を端末装置３に受光させる。
【００２０】
端末装置３は、照明器具１からの可視光を受光し、受光した可視光に含まれる器具識別情報を抽出する。このとき、端末装置３は、ＧＰＳを用いて、可視光を受光したときの自己の位置情報を特定する。その後、端末装置３は、自己の位置情報を端末位置情報（照明器具１の設置場所情報）とし、この端末位置情報を器具識別情報に対応付けてセンターサーバ２（図１参照）に無線信号として送信する。
【００２１】
センターサーバ２は、器具識別情報及び端末位置情報を端末装置３から受信し、受信した器具識別情報に端末位置情報を対応付けて記憶する。上記端末位置情報は、照明器具１の設置場所を表わす情報でもあるから、センターサーバ２は、照明器具１の設置場所に対応する設置場所情報を照明器具１の器具識別情報に対応付けて記憶することができる。
【００２２】
上記作業が終了すると、作業者Ｐは他の照明器具１に対して、同様の作業を行う。その後、あるエリアＡ１〜Ａ４の全ての照明器具１に対して作業を行うと、他のエリアＡ１〜Ａ４の照明器具１に対して作業を行う。
【００２３】
各照明器具１の器具識別情報と設置場所情報とを対応付けて管理するセンターサーバ２は、各照明器具１を点灯制御するために、照明器具１の器具識別情報ごとに通信アドレスが対応付けられたアドレステーブルを記憶部２１に記憶している。したがって、ある場所を明るくしたい場合、図２に示すセンターサーバ２の制御部２２は、記憶部２１に記憶されているアドレステーブルを用いて、明るくしたい場所に設置されている照明器具１の通信アドレスの点灯制御信号を送信部２３から送信させる。図１に示すコントローラ４は、センターサーバ２から上記点灯制御信号を受信すると、受信した点灯制御信号の通信アドレスに対応する照明器具１に点灯信号を送信する。図２に示す照明器具１は、通信部１３がコントローラ４から点灯信号を受信すると、点灯制御部１２が光源１１から可視光を照射するように制御する。これにより、センターサーバ２から送信された通信アドレスの照明器具１が点灯する。その結果、明るくしたい場所を実際に明るくすることができる。
【００２４】
以上、本実施形態によれば、照明器具１ごとに、端末装置３からの器具識別情報に端末位置情報を対応付けてセンターサーバ２に記憶することによって、複数の照明器具１，１・・・の施工状態に関わらず、複数の照明器具１，１・・・の設置後に各照明器具１の設置場所を特定することができる。つまり、照明器具１の配線を誤って接続された場合であっても、照明器具１の固有の通信アドレスと実際の設置場所とを確実に対応付けて管理することができる。
【００２５】
また、器具識別情報を重畳した可視光を照明器具１が照射するので、器具識別情報を送信するための専用の発光体を照明器具１とは別途設ける必要がない。
【００２６】
さらに、本実施形態によれば、端末装置３が照明器具１の機器識別情報と端末位置情報とを一括してセンターサーバ２に送信することができるので、端末位置情報を通知するものとして端末装置３以外のものを用意する必要がない。
【００２７】
（実施形態２）
実施形態２の照明制御システムは、図６に示すように、扉ＤやゲートＧごとに人の出入りを管理する出入管理システムを構成する複数の認証装置５，５，５を備える点で、実施形態１の照明制御システム（図１参照）と相違する。なお、実施形態１と同様の構成要素については、同一の符号を付して説明を省略する。
【００２８】
各認証装置５は、図７に示すように、扉ＤやゲートＧ（図６参照）ごとに設けられ、個人認証するための情報をＩＤカード（図示せず）から読み取る読取部５０と、読取部５０で読み取られた情報を解析して個人認証する解析部５１と、通信網ＮＴ（図６参照）を介してセンターサーバ２に情報を送信する送信部５２とを備える位置情報通知手段である。
【００２９】
送信部５２は、解析部５１で作業者Ｐが認証されると、通信網ＮＴを介して自己の位置情報をセンターサーバ２に送信する。
【００３０】
本実施形態の端末装置３は、図８に示すように、受光素子３０と、抽出部３１と、無線送信部３４と、記憶部３５とを実施形態１の端末装置３（図４参照）と同様に備えている。本実施形態の記憶部３５には、端末識別情報が記憶されている。本実施形態における位置情報通知手段は、端末装置３ではなく、設置装置５である。したがって、本実施形態の端末装置３に、ＧＰＳ受信部３２や位置情報特定部３３（図４参照）を必ずしも設ける必要はない。
【００３１】
また、本実施形態のセンターサーバ２は、図３に示すように、制御部２２が、受信部（第２の受信手段）２４で端末位置情報が受信されてから次に端末位置情報が受信されるまでの間に無線受信部（第１の受信手段）２０で受信された器具識別情報を有する複数の照明器具１，１・・・を連動点灯制御させる照明制御手段である。
【００３２】
次に、本実施形態の照明制御システムを用いて各照明器具１の設置場所の特定する方法について図９を用いて説明する。まず、端末装置３（図６参照）を持った作業者Ｐ（図６参照）は、あるエリアＡ１〜Ａ４の扉Ｄ（又はゲートＧ）（図６参照）の前で、ＩＣカードを認証装置５（図６参照）にかざす。このとき、認証装置５は、作業者Ｐであることを認証する。そして、扉Ｄが開く。また、作業者Ｐを認証した認証装置５は、自己の位置情報を端末位置情報としてセンターサーバ２（図６参照）に送信する。
【００３３】
その後、作業者Ｐは、操作スイッチ１４（図６参照）を操作して照明器具１（図６参照）を点灯させる。その後、点灯させた照明器具１の下側に立ち、照明器具１からの可視光を端末装置３にかざして、照明器具１からの可視光を端末装置３に受光させる。
【００３４】
端末装置３は、可視光を受光し、受光した可視光に含まれる器具識別情報を抽出する。その後、端末装置３は、器具識別情報をセンターサーバ２に無線信号として送信する。
【００３５】
センターサーバ２は、器具識別情報を端末装置３から受信し、端末位置情報を認証装置５から受信する。その後、センターサーバ２は、受信した器具識別情報に端末位置情報を対応付けて記憶する。上記端末位置情報は、照明器具１の設置場所を表わす情報でもあるから、センターサーバ２は、照明器具１の設置場所に対応する設置場所情報を照明器具１の器具識別情報に対応付けて記憶することができる。
【００３６】
上記作業が終了すると、作業者Ｐは他の照明器具１に対して、同様の作業を行う。その後、あるエリアＡ１〜Ａ４の全ての照明器具１に対して作業を行うと、他のエリアＡ１〜Ａ４の照明器具１に対して作業を行う。
【００３７】
本実施形態において、ある場所を明るくしたい場合、図６に示すセンターサーバ２の制御部２２は、明るくしたい場所の設置場所情報が対応付けられている各照明器具１の通信アドレスの点灯制御信号を送信部２３から送信させる。図１に示すコントローラ４は、センターサーバ２から上記点灯制御信号を受信すると、受信した点灯制御信号の通信アドレスに対応する照明器具１に点灯信号を送信する。各照明器具１は、コントローラ４から点灯信号を受信すると可視光を照射する。これにより、明るくしたい場所の設置場所情報が対応付けられている複数の照明器具１を連動点灯させることができる。
【００３８】
以上、本実施形態によれば、照明器具１ごとに、端末装置３からの器具識別情報に認証装置５からの端末位置情報を対応付けてセンターサーバ２に記憶することによって、複数の照明器具１，１・・・の施工状態に関わらず、複数の照明器具１，１・・・の設置後に各照明器具１の設置場所を特定することができる。つまり、照明器具１の配線を誤って接続された場合であっても、照明器具１の固有の通信アドレスと実際の設置場所とを確実に対応付けて管理することができる。
【００３９】
また、器具識別情報を重畳した可視光を照明器具１が照射するので、器具識別情報を送信するための専用の発光体を照明器具１とは別途設ける必要がない。
【００４０】
さらに、本実施形態によれば、ＧＰＳなどの衛星測位システムを構成する人工衛星からの発信電波が届かないような場所においても、出入管理システムの設備を利用して、照明器具１の設置場所を特定することができる。
【００４１】
また、センターサーバ２の制御部２２によって、受信部２４で端末位置情報が受信されてから次に端末位置情報が受信されるまでの間に無線受信部２０で受信された器具識別情報を有する複数の照明器具１，１・・・を連動点灯制御させることができる。つまり、出入口単位で区切られた範囲ごとに照明器具１を連動点灯制御するように設定することができる。
【００４２】
なお、実施形態２の変形例として、認証装置５の送信部５２は、通信網ＮＴを用いて自己の位置情報をセンターサーバ２に送信するのではなく、無線信号によって自己の位置情報を送信するものであってもよい。この場合、センターサーバ２は、認証装置５の位置情報を含む無線信号を無線受信部２０で受信する。
【図面の簡単な説明】
【００４３】
【図１】実施形態１の概略図である。
【図２】実施形態１，２に係る照明器具の構成を示すブロック図である。
【図３】同上に係るセンターサーバの構成を示すブロック図である。
【図４】実施形態１に係る端末装置の構成を示すブロック図である。
【図５】同上に係る照明制御システムの動作を説明するための図である。
【図６】実施形態２の概略図である。
【図７】同上に係る認証装置の構成を示すブロック図である。
【図８】同上に係る端末装置の構成を示すブロック図である。
【図９】同上に係る照明制御システムの動作を説明するための図である。
【符号の説明】
【００４４】
１  照明器具
１１  光源
１２  点灯制御部
２  センターサーバ
２０  無線受信部
２１  記憶部
２２  制御部
２４  受信部
３  端末装置
３０  受光素子
３１  抽出部
３２  ＧＰＳ受信部
３４  無線送信部
５  認証装置
【図１】
2009238537.tif 000003
【図２】
2009238537.tif 000004
【図３】
2009238537.tif 000005
【図４】
2009238537.tif 000006
【図５】
2009238537.tif 000007
【図６】
2009238537.tif 000008
【図７】
2009238537.tif 000009
【図８】
2009238537.tif 000010
【図９】
2009238537.tif 000011